(57)【要約】【課題】  伸長時にジャバラ部の一部のみに大きな引張力が掛からず各折返部が均等な大きさに伸びるチェーンカバーを提供する。【解決手段】  チェーンブロックの本体部から垂下するロードチェーンを囲むチェーンカバー３０であって、軸方向に伸縮可能なジャバラ部３１を備えた筒状部材で、その上端部がチェーンブロックの本体側に固定され、下端部がロードチェーン側に固定され、チェーンの巻上下げに伴いチェーンカバー３の下端部が上下移動してジャバラ部３１が伸縮変形するように構成され、ジャバラ部３１に所定間隔で設置した中間板３８を備え、ジャバラ部３１の上板３６及び下板３７と中間板３８とを吊糸４３で連結し、チェーンカバー３０が伸長した際に、中間板３８及び下板３７に掛かるチェーンカバー３０の自重を吊糸４３によって支持するように構成した。【選択図】図２
2006182547.tif 000002
【特許請求の範囲】
【請求項１】
巻上機の本体から垂下するチェーン又はロープを囲むカバー部材であって、
前記カバー部材は、上下方向に伸縮可能なジャバラ部を備えた筒状部材であり、該カバー部材の上端部が前記巻上機の本体側に固定され、カバー部材の下端部が前記チェーン又はロープ側に固定され、前記チェーン又はロープの巻上下げに伴い前記カバー部材の下端部が上下移動して前記ジャバラ部が伸縮するように構成され、
前記ジャバラ部に上下方向に所定間隔で設置した一又は複数の中間板を備え、前記ジャバラ部の上端部及び下端部と前記中間板とを一又は複数の可撓性の線状部材で連結し、
前記カバー部材が伸長した際に、前記中間板、及び前記ジャバラ部の下端部に掛かるカバー部材の自重を前記線状部材によって支持するように構成したことを特徴とする巻上機のチェーン又はロープを囲むカバー部材。
【請求項２】
請求項１に記載の巻上機のチェーン又はロープを囲むカバー部材において、
前記線状部材は、前記ジャバラ部の上端部及び下端部及び中間板のそれぞれの外周部に固定され、
前記ジャバラ部の各山折部の外側に取付部を設け、該取付部に前記線状部材を挿通する貫通穴を設け、
前記カバー部材が畳まれた際に、前記各取付部が上下に重なり前記各貫通穴が接近して収納部が形成され、前記線状部材が該収納部に収納配置されるように構成したことを特徴とする巻上機のチェーン又はロープを囲むカバー部材。
【請求項３】
請求項２に記載の巻上機のチェーン又はロープを囲むカバー部材において、
前記各山折部の外周部に設けた貫通穴のうち少なくともいずれかを、他の貫通穴よりその径寸法が小さい位置決め穴としたことを特徴とする巻上機のチェーン又はロープを囲むカバー部材。
【請求項４】
請求項１乃至３のいずれか１項に記載の巻上機のチェーン又はロープを囲むカバー部材において、
前記線状部材は、前記ジャバラ部の上端部及び下端部及び中間板のそれぞれの外周部に固定されると共に、前記ジャバラ部の各山折部の外側に設けた取付部に所定の連結手段で連結され、
前記取付部及び連結手段は、前記ジャバラ部の各山折部に所定以上の荷重が掛かると前記線状部材に対する前記各山折部の上下位置が移動するように構成されていることを特徴とする巻上機のチェーン又はロープを囲むカバー部材。
【請求項５】
請求項４に記載の巻上機のチェーン又はロープを囲むカバー部材において、
前記連結手段は、前記取付部に設けた貫通穴に前記線状部材を挿通して構成され、該貫通穴はその内径寸法が前記線状部材の外径寸法以下に形成され、前記線状部材が該貫通穴に固く嵌められた状態で挿通されていることを特徴とする巻上機のチェーン又はロープを囲むカバー部材。
【請求項６】
請求項４に記載の巻上機のチェーン又はロープを囲むカバー部材において、
前記連結手段は、前記線状部材が所定の固着手段で前記取付部に固着されると共に、前記取付部の少なくとも前記線状部材が固着された位置及びその周囲部分が上下方向に可撓性を有して構成されていることを特徴とする巻上機のチェーン又はロープを囲むカバー部材。
【請求項７】
請求項５又は６に記載の巻上機のチェーン又はロープを囲むカバー部材において、
前記線状部材は、上下に隣り合う各取付部の間が各々捻られた状態で前記各貫通穴に挿通され又は前記取付部に固着されていることを特徴とする巻上機のチェーン又はロープを囲むカバー部材。
【請求項８】
請求項５乃至７のいずれか１項に記載の巻上機のチェーン又はロープを囲むカバー部材において、
前記取付部の少なくとも前記貫通穴の周囲又は前記線状部材が固着された位置の周囲に、その厚さ寸法が前記取付部の他の部分の厚さ寸法よりも薄い部分が設けられ、前記カバー部材が畳まれる際に、上下に隣り合う各取付部の前記厚さ寸法の薄い部分に隙間部ができ、該隙間部に前記線状部材が収納配置されるように構成したことを特徴とする巻上機のチェーン又はロープを囲むカバー部材。
【発明の詳細な説明】
【技術分野】
【０００１】
本発明は、チェーンブロックやホイスト等の巻上機のチェーン又はロープが巻上下げされる際に摩耗粉などの汚染物が周囲に飛散することを防止するため、チェーン又はロープを囲んで設置するカバー部材に関する。
【背景技術】
【０００２】
図１に、巻上機の一例であるチェーンブロック（電気チェーンブロック）の構成例を示す。図１（ａ）はチェーンブロック１の正面図で、同図（ｂ）はその側面図である。同図に示すチェーンブロック１は、本体部２と、該本体部２から垂下するロードチェーン（チェーン）３を具備して構成されている。天井等に設置されたレール４上を転動する走行輪５を具備してなるトロリ６に、本体ケーシング１０が固定されている。また、１３はダストパンである。本体部２は、制御装置７、ギヤボックス８、モータ９、及び本体ケーシング１０内に配置されたロードシーブ（図示せず）等を具備する。そして、ロードシーブからロードチェーン３の荷重側が垂下し、その先端部に下フック（荷物吊フック）１１が固着されている。このチェーンブロック１は、モータ９を正回転又は逆回転させることで、ロードシーブを介してロードチェーン３を巻上下げして下フック１１を上昇又は下降させる。巻上げられたロードチェーン３はチェーンバケット１２に収容される。
【０００３】
ところで、チェーンブロック１は、クリーンルーム内など高度に清浄度を保つことが要求される環境下で使用する場合がある。しかし、そのような環境下でロードチェーン３の巻上下動作を行うと、ロードチェーン３のチェーンリング３ａ同士が摺接して金属摩耗粉が発生し周囲に飛散したり、ロードチェーン３に塗布された潤滑油が飛散して周囲環境を汚染するおそれがある。そこで図１に示すチェーンブロック１には、汚染防止のため、本体ケーシング１０から垂下するロードチェーン３の周囲を囲むチェーンカバー２０が設置されている。なお、この種のカバー部材の一例が特許文献１等に開示されている。
【０００４】
このチェーンカバー２０は、筒状の部材で、軸方向に伸縮可能なジャバラ部２１（一部のみ図示）を備えて構成されている。そして、チェーンカバー２０の上端に設けた取付部２２が本体ケーシング１０の下部に取り付けられて本体部２側に固定され、下端部に設けた取付部２３が下フック１１に取り付けられてロードチェーン３側に固定されている。
【０００５】
ロードチェーン３が巻下げられて下フック１１が下降すると、チェーンカバー２０の下端部が下方に引張られてジャバラ部２１が伸び、チェーンカバー２０が下方に延伸する。一方、ロードチェーン３が巻上げられて下フック１１が上昇すると、チェーンカバー２０の下端部が上方に持ち上げられてジャバラ部２１が縮み、チェーンカバー２０が畳まれる。このように、ロードチェーン３の巻上下げによって下フック１１が上下に移動する際に、チェーンカバー２０が伸縮することで本体ケーシング１０と下フック１１の間のロードチェーン３が常にチェーンカバー２０で囲まれた状態となる。
【特許文献１】実開昭６１−１６０１８５号公報
【発明の開示】
【発明が解決しようとする課題】
【０００６】
チェーンカバー２０のジャバラ部２１は、山折部・谷折部からなる複数の折返部２１ａがそれぞれ圧縮したり伸長したりすることで、ジャバラ部２１の全体が伸縮する構成である。ところが、チェーンカバー２０の軸方向を鉛直方向に設置すると、ジャバラ部２１が伸長した際に、チェーンカバー２０の自重によって上部に位置する折返部２１ａが大きく伸びて、折返部２１ａの多くが下部にたまり、下部に位置する折返部２１ａが圧縮したままの状態になってしまい、各折返部２１ａが均等な大きさに伸びないという問題があった。このようにジャバラ部２１の上部が伸びきってしまい、そこに強い引張力が掛かった状態になると、その部分が疲労することで縫目が裂けるなどして破損し、チェーンカバー２０の寿命が短くなるという問題がある。
【０００７】
この問題を解決するため、チェーンカバー２０を、その自重を支えられるように硬質の素材で形成したり、厚みのある素材で形成したりすることが考えらえる。しかし、ジャバラ部２１を硬質の素材や厚みのある素材で形成すると、チェーンカバー２０を小さく畳むことができず、圧縮時のデッドスペースが大きくなってしまうという問題があり、チェーンブロック１の小型化が阻害されてしまう。特に、クリーンルームはその広さや高さに制限があるため、チェーンカバー２０のデッドスペースは極力小さくすることが望ましい。
【０００８】
本発明は上述の点に鑑みてなされたものでありその目的は、伸長時にジャバラ部の一部のみに大きな引張力が掛からず各折返部が均等な大きさに伸びると共に、圧縮時のデッドスペースが小さくて済み、且つ伸縮がスムーズに行われる巻上機のチェーン又はロープを囲むカバー部材を提供することにある。
【課題を解決するための手段】
【０００９】
上記課題を解決するため請求項１に記載の発明は、巻上機の本体から垂下するチェーン又はロープを囲むカバー部材であって、前記カバー部材は、上下方向に伸縮可能なジャバラ部を備えた筒状部材であり、該カバー部材の上端部が前記巻上機の本体側に固定され、カバー部材の下端部が前記チェーン又はロープ側に固定され、前記チェーン又はロープの巻上下げに伴い前記カバー部材の下端部が上下移動して前記ジャバラ部が伸縮するように構成され、前記ジャバラ部に上下方向に所定間隔で設置した一又は複数の中間板を備え、前記ジャバラ部の上端部及び下端部と前記中間板とを一又は複数の可撓性の線状部材で連結し、前記カバー部材が伸長した際に、前記中間板、及び前記ジャバラ部の下端部に掛かるカバー部材の自重を前記線状部材によって支持するように構成したことを特徴とする。
【００１０】
上記線状部材としては、合成繊維等で構成された吊糸のほかワイヤやロープあるいはチェーンなどを用いてもよい。なお、線状部材は、可撓性を有すると共に、中間板又は下板にかかる荷重程度の引張荷重に対しては全く伸びないか又は殆ど伸びを生じることのない材料を用いて構成されていることが望ましい。
【００１１】
請求項２に記載の発明は、請求項１に記載の巻上機のチェーン又はロープを囲むカバー部材において、前記線状部材は、前記ジャバラ部の上端部及び下端部及び中間板のそれぞれの外周部に固定され、前記ジャバラ部の各山折部の外側に取付部を設け、該取付部に前記線状部材を挿通する貫通穴を設け、前記カバー部材が畳まれた際に、前記各山折部が上下に重なり前記各貫通穴が接近して収納部が形成され、前記線状部材が該収納部に収納配置されるように構成したことを特徴とする。
【００１２】
請求項３に記載の発明は、請求項２に記載の巻上機のチェーン又はロープを囲むカバー部材において、前記各山折部の外周部に設けた貫通穴のうち少なくともいずれかを、他の貫通穴よりその径寸法が小さい位置決め穴としたことを特徴とする。
【００１３】
請求項４に記載の発明は、請求項１乃至３のいずれか１項に記載の巻上機のチェーン又はロープを囲むカバー部材において、前記線状部材は、前記ジャバラ部の上端部及び下端部及び中間板のそれぞれの外周部に固定されると共に、前記ジャバラ部の各山折部の外側に設けた取付部に所定の連結手段で連結され、前記取付部及び連結手段は、前記ジャバラ部の各山折部に所定以上の荷重が掛かると前記線状部材に対する前記各山折部の上下位置が移動するように構成されていることを特徴とする。
【００１４】
請求項５に記載の発明は、請求項４に記載の巻上機のチェーン又はロープを囲むカバー部材において、前記連結手段は、前記取付部に設けた貫通穴に前記線状部材を挿通して構成され、該貫通穴はその内径寸法が前記線状部材の外径寸法以下に形成され、前記線状部材が該貫通穴に固く嵌められた状態で挿通されていることを特徴とする。
【００１５】
請求項６に記載の発明は、請求項４に記載の巻上機のチェーン又はロープを囲むカバー部材において、前記連結手段は、前記線状部材が所定の固着手段で前記取付部に固着されると共に、前記取付部の少なくとも前記線状部材が固着された位置及びその周囲部分が上下方向に可撓性を有して構成されていることを特徴とする。
【００１６】
請求項７に記載の発明は、請求項５又は６に記載の巻上機のチェーン又はロープを囲むカバー部材において、前記線状部材は、上下に隣り合う各取付部の間が各々捻られた状態で前記各貫通穴に挿通され又は前記取付部に固着されていることを特徴とする。
【００１７】
請求項８に記載の発明は、請求項５乃至７のいずれか１項に記載の巻上機のチェーン又はロープを囲むカバー部材において、前記取付部の少なくとも前記貫通穴の周囲又は前記線状部材が固着された位置の周囲に、その厚さ寸法が前記取付部の他の部分の厚さ寸法よりも薄い部分が設けられ、前記カバー部材が畳まれる際に、上下に隣り合う各取付部の前記厚さ寸法の薄い部分に隙間部ができ、該隙間部に前記線状部材が収納配置されるように構成したことを特徴とする。
【発明の効果】
【００１８】
本願請求項１に記載の発明によれば、ジャバラ部に上下方向に所定間隔で設置した一又は複数の中間板を備え、ジャバラ部の上端部及び下端部と中間板とを一又は複数の可撓性の線状部材で連結し、カバー部材が伸長した際に、中間板、及びジャバラ部の下端部に掛かるカバー部材の自重を線状部材によって支持するように構成したので、ジャバラ部の一部に過度な引張力が掛かることを防止でき、各折返部が均等な大きさに伸びるため、長寿命で耐久性に優れたカバー部材を提供することができる。また、カバー部材を硬質の材料や厚みのある材料で構成する必要がなくなり、畳まれた際のカバー部材のデッドスペースを小さくすることが可能となる。
【００１９】
請求項２に記載の発明によれば、線状部材は、ジャバラ部の上端部及び下端部及び中間板のそれぞれの外周部に固定され、ジャバラ部の各山折部の外周部に線状部材を挿通する貫通穴を設け、カバー部材が畳まれた際に、各山折部が上下に重なり各貫通穴が接近して収納部が形成され、線状部材が該収納部に収納されるように構成したので、カバー部材を畳んだ際に、線状部材が外側に飛び出して他の部品などに引掛かるおそれがなくなる。また、線状部材が絡まることを防止できるので、次にカバー部材を伸ばすことができなくなるという不具合を解消できる。したがって、カバー部材の伸縮がスムーズに行えると共に、カバー部材のメンテナンスの手間が軽減される。
【００２０】
請求項３に記載の発明によれば、各山折部の外周部に設けた貫通穴のうち少なくともいずれかを、他の貫通穴よりその径寸法が小さい位置決め穴としたので、カバー部材を伸ばしたときに線状部材の位置が安定する。また、収納部内の線状部材が正確に位置決めされ、カバー部材を畳んだ際に収納部内で線状部材が絡まるおそれが無くなる。したがって、カバー部材の伸縮がスムーズに行えると共に、カバー部材のメンテナンスの手間が軽減される。
【００２１】
請求項４に記載の発明によれば、取付部及び連結手段は、ジャバラ部の各山折部に所定以上の荷重が掛かると線状部材に対する各山折部の上下位置が移動するように構成されているので、カバー部材が伸長する際に線状部材が緊張して、ジャバラ部の各山折部に所定以上の引張荷重が掛かることで線状部材に対する各山折部の上下位置が移動し、各々の山折部が略同一の形状・大きさに伸長すると共に各取付部間の線状部材の長さ寸法が各々略同一の長さ寸法に調節され、その状態を維持することができる。これによりジャバラ部の一部のみに過度の荷重が掛かることを防止できると共に、カバー部材の伸縮変形がスムーズに行なえる。
【００２２】
請求項５に記載の発明によれば、連結手段は、取付部に設けた貫通穴に線状部材を挿通して構成され、該貫通穴はその内径寸法が線状部材の外径寸法以下に形成され、線状部材が該貫通穴に固く嵌められた状態で挿通されているので、簡単な構成でジャバラ部の各山折部に所定以上の荷重が掛かると線状部材に対する各山折部の上下位置が移動する構成を実現でき、カバー部材の小型化、軽量化を図ることができると共に、その製作が容易に行える。さらに、カバー部材を畳む際には、各取付部の間の線状部材の長さ寸法が各々略同一の長さ寸法に維持されるので、一部区間の線状部材が長くなり外側に飛び出して他の部品等に引掛かるというおそれがなくなる。
【００２３】
請求項６に記載の発明によれば、線状部材が所定の固着手段で取付部に固着されると共に、取付部の少なくとも線状部材が固着された位置及びその周囲部分が上下方向に可撓性を有して構成されているので、カバー部材が伸長する際にジャバラ部の各山折部に所定以上の荷重が掛かかると、取付部が撓むことで線状部材に対する各山折部の上下位置が移動して、これによりジャバラ部の一部のみに過度の荷重が掛かることを防止できると共に、カバー部材の伸縮変形がスムーズに行なえる。一方、カバー部材が畳まれる際には、取付部の撓みが解消して元の形状に復元することで、各山折部間の線状部材の長さ寸法が元の長さ寸法に戻るので、一部区間の線状部材が長くなり外側に飛び出して他の部品等に引掛かるというおそれがなくなる。
【００２４】
請求項７に記載の発明によれば、線状部材は、上下に隣り合う各取付部の間が各々捻られた状態で各貫通穴に挿通され又は取付部に固着されているので、カバー部材が畳まれる際に各取付部間の線状部材が自身の捻れ力によって螺旋状に旋回して巻かれた状態に撓むので、該線状部材がカバー部材の外側に飛び出さずに各取付部の間に収まり他の部品などに引掛かるおそれがなくなると共に、該線状部材が絡まることを防げる。
【００２５】
請求項８に記載の発明によれば、取付部の少なくとも貫通穴の周囲又は線状部材が固着された位置の周囲に、その厚さ寸法が取付部の他の部分の厚さ寸法よりも薄い部分が設けられ、カバー部材が畳まれる際に、上下に隣り合う各取付部の厚さ寸法の薄い部分に隙間部ができ、該隙間部に線状部材が収納配置されるように構成したので、線状部材がカバー部材の外側に飛び出して他の部品などに引掛かるおそれがなくなると共に、カバー部材が畳まれた際に線状部材によってカバー部材のデッドスペースが大きくなることを防げる。
【発明を実施するための最良の形態】
【００２６】
以下、本発明の実施形態例を図面に基づいて詳細に説明する。本発明にかかるカバー部材は、チェーンブロックやロープホイスト、チェーンホイストなどの他、巻上機一般に設けたチェーンやロープを囲むカバー部材として適用することが可能であるが、以下ではその一例として、チェーンブロックに設置するチェーンカバーを説明する。
【実施例１】
【００２７】
図２は、本発明の一実施形態（実施例１）にかかるチェーンブロックに設置するチェーンカバーの構成例を示す図である。このチェーンカバーを設置するチェーンブロックは、図１に示すチェーンブロック１と共通であるためここではその説明は省略する。図２に示すチェーンカバー３０は、ビニール材料、あるいは布材料の表面にコーティング処理を施した材料などからなる筒状に形成された部材である。そして、軸方向（上下方向）に伸縮可能なように、その側面がジャバラ形状に形成されたジャバラ部３１になっている。
【００２８】
ジャバラ部３１は、布材料等の可撓性を有する板材であって外周が円形又は矩形でありその中央部に円形の開口部を設けた部材３２を複数用意し、これらを上下に多数重ね合わせてその対向する外周部同士又は開口部の周囲同士を糸で縫い合わせて固定するか、又は糊や接着剤などで固定して構成されたものである。このジャバラ部３１は、上下方向に引張力（引張荷重）が作用すると、各部材３２の外周部及び開口部の周囲以外の場所が互いに離間して、図２（ａ）に示すように山折部３３と谷折部３４からなる折返部３５が軸方向に多数連続するジャバラ状の筒体になるように構成されている。本実施例では、ジャバラ部３１をチェーンカバー３０の上端部から下端部まで設けた例を示したが、ジャバラ部３１は、カバー部材３０の上端部と下端部の間の部分のうち一部のみに設けてもよい。
【００２９】
チェーンカバー３０の上端部及び下端部にはそれぞれプラスチックや金属などの硬質材料で形成された上板３６と下板３７が取り付けられている。上板３６と下板３７は、その外径寸法がジャバラ部３１の外径寸法よりも大きく形成された円形又は矩形の平板で、中央には開口部３６ａ、３７ａが設けられている。また、上板３６と下板３７の間のジャバラ部３１には、上下方向の所定間隔ごと、即ち折返部３５の一定の個数ごとにプラスチックや金属などの硬質材料で形成された中間板３８が挿入配置されている。中間板３８も円形又は矩形の平板で、中央には開口部３８ａが設けられている。図２では、中間板３８をジャバラ部３１の中間部に１枚だけ設置した例を示したが、ジャバラ部３１の長さ、即ち折返部３５の個数によっては、中間板３８をさらに増設してもよい。一方、上板３６及び下板３７には、それぞれ筒状の取付部３９，４０が連接固定されている。取付部３９は止めバンド４１によって本体ケーシング１０の下部に固定され、取付部４０は止めバンド４２によって下フック１１に固定される。
【００３０】
上板３６と中間板３８、及び中間板３８と下板３７それぞれの外周部同士が可撓性の線状部材である吊糸４３で連結されている。この吊糸４３は、例えば合成繊維などで作られた糸で、各板の外周部に複数本ずつ固定されている。例えば、上板３６、下板３７、中間板３８が円形板であればそれらの外周部に等間隔に複数本ずつを固定し、これらの板が矩形であればそれぞれの板の四隅等に固定する。また、同一区間に設置した隣り合う吊糸４３はいずれも同じ長さ寸法にする。その長さ寸法は、チェーンカバー３０が伸長した際に、吊糸４３で連結された上板３６、中間板３８、下板３７の間の各折返部３５が適切な大きさに伸びる長さ寸法とし、チェーンカバー３０が伸長した際に吊糸４３が緊張して中間板３８及び下板３７に掛かるチェーンカバー３０の自重が吊糸４３によって支持されるようにする。
【００３１】
上記構成のチェーンカバー３０を取り付けたチェーンブロック１において、ロードチェーン３を一杯まで巻上げた状態から下フック１１を下降させると、それに伴って、チェーンカバー３０が図２（ｂ）に示す畳まれた状態から、図２（ａ）に示す伸長した状態まで徐々に変形する。そのときジャバラ部３１に設置した中間板３８及び下板３７は、その上側に設置した上板３６あるいは他の中間板３８と吊糸４３で連結されているので、この吊糸４３が緊張するところまで下降し、それ以上の下降が規制される。これにより各中間板３８及び下板３７より下側の部分のチェーンカバー３０の自重が、吊糸４３によって支持された状態となる。
【００３２】
このように、チェーンカバー３０が伸長した際に各中間板３８及び下板３７に掛かるチェーンカバー３０の自重が吊糸４３によって支持されるように構成したので、ジャバラ部３１の上部のみに過度の荷重が掛かることを防止でき、上部に位置する折返部３５だけが伸びて下部に位置する折返部３５が縮んだままの状態で多くの折返部３５が下部にたまるということが無くなる。そして、各折返部３５が略均等な大きさに伸びるので、ジャバラ部３１に負担がかからず、チェーンカバー３０が長寿命で耐久性に優れたものとなる。なお、本実施例では、吊糸４３は、上板３６、下板３７、中間板３８それぞれの外周部に固定した場合を示したが、吊糸４３は上板３６、下板３７、中間板３８を互いに連結するものであればこれ以外の位置に固定してもよく、例えば各板の外周部以外にも、開口部又はその周囲に固定する等してもよい。
【００３３】
また、線状部材としては吊糸４３以外にも、可撓性を有すると共に中間板３８又は下板３７にかかる荷重程度の引張荷重に対しては全く伸びないか又は殆ど伸びを生じることのない材料を用いて構成されているものであれば良く、例えば可撓性を有する金属製のワイヤやチェーン、あるいはロープなどでも良い。
【実施例２】
【００３４】
図３は、本発明の他の実施形態（実施例２）にかかるチェーンカバー５０の構成例を示す図である。本実施例においては、実施例１と共通する部分には同一の符号を付してその詳細な説明は省略する。以下、他の実施例においても同様とする。実施例１のチェーンカバー３０では、図２（ｂ）に示すように、畳まれた状態において弛緩した吊糸４３が撓んだ状態になり、チェーンカバー３０の外側に飛び出てしまう。吊糸４３は撓んだ状態では絡まり易く、また外側に飛び出ていると、チェーンブロック１の他の部位や周囲の機器などに引っ掛かるおそれもある。そこで、本実施例のチェーンカバー５０では、図３に示すように、ジャバラ部５１の各山折部５２の外側に取付部５８を連設し、該取付部５８に吊糸４３を挿通させる貫通穴からなる収納穴５３を設け、チェーンカバー５０が畳まれた際に、弛緩した吊糸４３がこの収納穴５３に収納されるように構成している。
【００３５】
図４を用いて、チェーンカバー５０のジャバラ部５１の組立手順及び詳細構成を説明する。ジャバラ部５１は、同図（ａ）に示す、外周形状が略矩形状に形成され、その四隅に取付部５８に設けた収納穴５３を配置すると共に中央部に円形の開口部を設けた布材料等の可撓性を有する板材で構成された部材５４と、図４（ｃ）に示す、外周形状が円形に形成され中央部に円形の開口部を設けた布材料等の可撓性を有する板材で構成された部材５５とを用いて構成されている。そして同図（ｄ）に示すように、部材５４の下側に部材５５を重ねて外側に取付部５８を突出させて、その対向する外周部同士又は開口部の周囲同士を糸で縫い合わせて固定するか、又は糊や接着剤などで固定してこれら部材を貼り合せている。さらにこの貼り合せたものを、同図（ｅ）に示すように上下に多数重ね合わせて固定することでジャバラ部５１が形成されている。このジャバラ部５１は、上下方向に引張荷重が作用すると、同図（ｆ）に示すように部材５４と部材５５の外周部及び開口部の周囲以外の場所が互いに離間して該ジャバラ部５１の全体が伸長し、ジャバラ状の筒体になるように構成されている。
【００３６】
そして、複数重ね合わせた部材５４のうちのいずれかに代えて、部材５４に形成された収納穴５３よりも径寸法の小さい貫通穴である位置決め穴５６を設けた同図（ｂ）に示す部材５７を設置している。部材５７は、例えば部材５４の一定個数ごとに等間隔に設置するなどして設ける。このようにして形成したジャバラ部５１は、図３に示すように、各山折部５２の外側に設けた取付部５８に収納穴５３が配置され、収納穴５３のうちのいずれかは位置決め穴５６になっている。これら位置決め穴５６を含む各収納穴５３に吊糸４３が挿通されている。
【００３７】
チェーンカバー５０が畳まれたときの吊糸４３の状態を、図５に示す各山折部５２の外側に設けた取付部５８の部分拡大図を用いて説明する。チェーンカバー５０が畳まれて、同図（ａ）に示す状態からジャバラ部５１が圧縮されると、該ジャバラ部５１の上板３６と中間板３８と下板３７が互いに接近し、それらの間の各取付部５８同士が接近して、同図（ｂ）に示すように互いに上下に重ね合わされる。このとき弛緩した吊糸４３が撓んだ状態になるが、各取付部５８に設けた収納穴５３同士が接近して上下方向に連通する収納部６０が形成され、この収納部６０内に撓んだ吊糸４３が収納配置される。
【００３８】
このように、チェーンカバー５０が畳まれたときに吊糸４３が収納部６０に収納されるので、吊糸４３が隣り合う吊糸４３と絡まったり、チェーンカバー５０の外側に大きく飛び出してチェーンブロック１の他の部位や周囲の機器などに引っ掛かることが無くなる。さらに、位置決め穴５６を設けたことで、チェーンカバー５０が畳まれているときに収納部６０内で吊糸４３が位置決め穴５６によって位置決めされた状態で収納されるため、収納部６０内で吊糸４３が絡まるおそれがなく、次にチェーンカバー５０を伸長させるときに吊糸４３がスムーズに伸び、チェーンカバー５０の伸縮がスムーズ且つ確実に行われる。
【実施例３】
【００３９】
図６は、本発明の他の実施形態（実施例３）にかかるチェーンカバー７０の構成例を示す図で、同図（ａ）は伸長したジャバラ部７１の各山折部（図３の山折部５２に相当）の外側に設けた取付部７８の部分拡大図で、同図（ｂ）はジャバラ部７１が圧縮された状態を示す図で、同図（ｃ）は同図（ｂ）のIV-IV矢視図である。本実施例のチェーンカバー７０が実施例２のチェーンカバー５０と異なる点は、部材５４及び部材５７に代えて、該部材５４，５７と同形状の部材で、その四隅の取付部７８に収納穴５３よりも内径寸法が小さい貫通穴７３を設けた部材７４を設置して構成されている点である。
【００４０】
ここで貫通穴７３はその内径寸法が、挿通される吊糸４３の外径寸法と略同一かそれよりも若干小さい寸法に形成され、吊糸４３はこの貫通穴７３に対して固く嵌められた状態で挿通され、ジャバラ部７１の各山折部に掛かる荷重が所定以下の場合は貫通穴７３内で吊糸４３が上下移動せず、各山折部に所定以上の荷重が掛かると貫通穴７３内で吊糸４３が上下移動するように構成されている。したがって、各取付部７８の上下方向の移動が吊糸４３によって規制されるようになっている。
【００４１】
これにより、ジャバラ部５１に所定以下の引張荷重が作用しても、各貫通穴７３内で吊糸４３が上下移動することはなく各取付部７８間の吊糸４３の長さは変化しない一方、ジャバラ部７１に所定以上の引張荷重が作用すると、該引張荷重によりジャバラ部７１が伸長して各山折部が所定の大きさに伸長すると共に、貫通穴７３内で吊糸４３の上下位置がずれて各山折部の吊糸４３に対する位置が移動するようになっている。そして吊糸４３は、各取付部７８と取付部７８の間で各々所定回数（１，２回程度）捻られた状態で各貫通穴７３に挿通されている。
【００４２】
また、ジャバラ部７１は、部材７４と該部材７４よりもその外形寸法が小さい部材５５とを貼合わせた構成なので、その外周部に設けた取付部７８の貫通穴７３の周囲の部分の厚さ寸法は、図６（ａ）に示すように部材７４の厚さ寸法であり、その内側の部分の厚さ寸法は部材７４と部材５５を合せた厚さ寸法になっている。即ち、取付部７８の貫通穴７３の周囲の厚さ寸法は、他の部分の厚さ寸法よりも薄く構成されている。
【００４３】
このチェーンカバー７０を設置したチェーンブロックで、ロードチェーン３を巻下げて下フック１１を下降させると、チェーンカバー７０が図６（ａ）に示す伸長した状態になる。そのときジャバラ部７１に設置した中間板３８及び下板３７は吊糸４３が緊張するところまで下降し、それ以上の下降が規制される。同時に、ジャバラ部７１に所定の引張荷重が作用することで、各山折部に上記の所定以上の荷重が掛かり、該荷重により各山折部が各々略等しい大きさに伸長すると共に、貫通穴７３内で吊糸４３の位置が上下移動して各取付部７８の間の吊糸４３の長さ寸法が各々略等しい長さ寸法に自動的に調節され、その状態が維持される。
【００４４】
一方、チェーンカバー７０が伸長した状態から、ロードチェーン３を巻上げて下フック１１を上降させると、チェーンカバー７０が畳まれてジャバラ部７１が圧縮され各取付部７８同士が接近する。このとき、ジャバラ部７１に掛かる引張荷重は減少して各山折部に掛かる荷重も所定以下になるので、貫通穴７３内で吊糸４３が上下移動せず、各取付部７８の間の吊糸４３の長さ寸法は、上記チェーンカバー７０の伸長時の長さ寸法、即ち、各取付部７８間で各々略等しい長さ寸法を維持した状態で、ジャバラ部７１が圧縮される。
【００４５】
ジャバラ部７１が一杯まで圧縮されてチェーンカバー７０が畳まれた状態になると、図６（ｂ）に示すように各取付部７８の貫通穴７３の周囲の部分が、部材５５の厚さ寸法分の距離だけ離間した状態で互いに上下に重なり合い、各取付部７８と取付部７８の間に隙間部７５が形成される。そして各取付部７８と取付部７８の間の吊糸４３が撓み、この隙間部７５に収納配置される。
【００４６】
ここで、各取付部７８と取付部７８の間の吊糸４３は、各々所定回数（約１、２回程度）捻られた状態で貫通穴７３に挿通されているので、この吊糸４３に撓みが生じると、図６（ｂ）及び（ｃ）に示すように自身の捻れ力によって螺旋状に旋回して軽く（約１回程度）巻かれた状態になり隙間部７５に収納配置される。
【００４７】
上記のように、吊糸４３が貫通穴７３に固く嵌められた状態で挿通されているので、ジャバラ部７１の伸長時に各取付部７８と取付部７８の間の吊糸４３の長さ寸法が各々略等しい長さ寸法に自動的に調節されると共に、その状態がジャバラ部７１の圧縮時にも維持される。したがって各取付部７８間の吊糸４３の長さ寸法が不揃いになり一部区間の吊糸４３のみが長くなるということがなく、チェーンカバー７０を畳む際に、吊糸４３がチェーンカバー７０の外側に飛び出す不具合が起こらなくて済む。
【００４８】
また、ジャバラ部５１が圧縮された際に、部材５５の厚さによって形成された隙間部７５に撓んだ吊糸４３が収納配置されるため、撓んだ吊糸４３によってチェーンカバー７０のデッドスペースが大きくならずに済む。さらに、吊糸４３が螺旋状に巻かれた状態で隙間部７５に収納配置されるので、吊糸４３がチェーンカバー７０の外側に飛び出したり絡まったりすることがない。
【００４９】
上記のチェーンカバー７０において、各取付部７８を薄い布材料等の可撓性を有する板材で構成することにより該取付部７８に可撓性を持たせ上下方向に撓むようにすれば、吊糸４３を各取付部７８に固着して取付部７８に対する吊糸４３の位置が上下に移動しないように構成することができる。その場合は、取付部７８の厚さ寸法や材料を選択することで、該取付部７８が所定以上の荷重で撓むように構成し、各山折部に所定以上の荷重が掛かると、取付部７８が撓むことで吊糸４３に対する各山折部の上下位置が移動し、吊糸４３に加わる張力は各取付部７８と取付部７８の間で略均一となるようにする。ここで、取付部材７８は、少なくとも吊糸４３が固着された位置及びその周囲部分が可撓性を有していれば良く、さらに固着手段としては、例えば上記貫通穴７３に吊糸４３を挿通した状態で該貫通穴７３に接着剤等の固定材を流し込んで、貫通穴７３と吊糸４３を固定する等の手段がある。他にも貫通穴７３を設けずに取付部７８の外周等に吊糸４３を直接固着する手段でもよい。
【００５０】
さらに、取付部と吊糸を連結する連結手段としては、実施例３に示す取付部７８に設けた貫通穴７３に吊糸を固く挿通する手段以外にも、例えば、図７に示すように、実施例１のチェーンカバー５０において取付部５８に設けた収納穴５３又は位置決め穴５６の内周部と吊糸４３の一定間隔ごとの位置とを伸縮性を有するゴム等の弾性部材８０で連結するものでもよい。該弾性部材８０は所定以上の荷重で伸びるように構成する。この構成によれば、チェーンカバー５０が伸長して吊糸４３が緊張し各山折部に所定以上の荷重が掛かる場合には、弾性部材８０が伸びることで吊糸４３に対する各山折部の上下位置が移動しながら各山折部が略均一な大きさに伸びる。したがってジャバラ部５１の一部のみに過度の荷重が掛かるおそれがない。一方、チェーンカバー５０が畳まれる際に該荷重が掛からなくなると弾性部材８０は縮んで元の長さに復元するので、吊糸４３に対する各山折部の上下位置が元の位置に戻り、各取付部５８の間の吊糸４３の長さ寸法が一定に維持されることとなる。なお、この場合は、取付部５８は可撓性を有していなくてもよい。
【００５１】
上記のように取付部に対してゴム等の弾性部材で構成された連結手段で吊糸を連結する場合は、該連結手段を取付部に固定する位置や固定方法等は任意でよい。例えば、図示は省略するが、収納穴又は位置決め穴を設けずに、取付部の外周部の所定位置と吊糸とを連結手段で連結する構成等でもよい。
【００５２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状や材質であっても、本願発明の作用・効果を奏する以上、本願発明の技術的思想の範囲内である。例えば、各実施例のジャバラ部に形成した折返部の数は図面に示すものに限定されず、また中間板３８の設置位置やその枚数も限定されない。吊糸４３の本数や固定する位置も任意に構成することが可能である。また、上記実施例１では、位置決め穴５６を設けた場合を説明したが、位置決め穴５６は省略することも可能である。その場合は、外周部５２ａに設ける収納穴５３の径寸法を総て同じ寸法にする。
【図面の簡単な説明】
【００５３】
【図１】チェーンブロックの構成例を示す図である。
【図２】本発明の一実施形態（実施例１）にかかるチェーンブロックに設置するチェーンカバーの構成例を示す図であり、同図（ａ）はチェーンカバーが伸長した状態を示す図、同図（ｂ）はチェーンカバーが畳まれた状態を示す図である。
【図３】本発明の他の実施形態（実施例２）にかかるチェーンブロックに設置するチェーンカバーの構成例を示す図であり、同図（ａ）はチェーンカバーが伸長した状態を示す図、同図（ｂ）はチェーンカバーが畳まれた状態を示す図である。
【図４】チェーンカバーの構成部品及び組立手順を説明する図で、同図（ａ）は部材５４、同図（ｂ）は部材５７、同図（ｃ）は部材５５を示す図で、同図（ｄ）、（ｅ）は組立手順を説明するための図であり、同図（ｆ）はジャバラ部に引張り荷重が掛かった状態を示す図である。
【図５】ジャバラ部の取付部の一部概略拡大図であり、同図（ａ）はジャバラ部が伸びた状態を示す図で、同図（ｂ）はジャバラ部が圧縮された状態を示す図である。
【図６】本発明の他の実施形態（実施例３）にかかるチェーンブロックに設置するチェーンカバーの構成例を示す図であり、同図（ａ）は、伸長したジャバラ部の取付部の一部概略拡大図で、同図（ｂ）はジャバラ部が圧縮された状態を示す図で、同図（ｃ）は同図（ｂ）のIV−IV矢視図である。
【図７】取付部と吊糸とを弾性部材からなる連結手段で連結する構成例を示す図である。
【符号の説明】
【００５４】
１    チェーンブロック
２    本体部
３    ロードチェーン
３ａ  チェーンリング
４    レール
５    走行輪
６    トロリ
７    制御装置
８    ギヤボックス
９    モータ
１０  本体ケーシング
１１  下フック
１２  チェーンバケット
１３  ダストパン
２０  チェーンカバー
２１  ジャバラ部
２１  折返部
２２  取付部（上）
２３  取付部（下）
３０  チェーンカバー
３１  ジャバラ部
３２  部材
３３  山折部
３４  谷折部
３５  折返部
３６  上板
３７  下板
３８  中間板
３９  取付部（上）
４０  取付部（下）
４１  止めバンド
４２  止めバンド
４３  吊糸
５０  チェーンカバー
５１  ジャバラ部
５２  山折部
５３  収納穴
５４  部材
５５  部材
５６  位置決め穴
５７  部材
５８  取付部
６０  収納部
７０  チェーンカバー
７１  ジャバラ部
７３  貫通穴
７５  隙間部
７８  取付部
８０  弾性部材
【図１】
2006182547.tif 000003
【図２】
2006182547.tif 000004
【図３】
2006182547.tif 000005
【図４】
2006182547.tif 000006
【図５】
2006182547.tif 000007
【図６】
2006182547.tif 000008
【図７】
2006182547.tif 000009